(57)【要約】【課題】位置情報とその位置での複数の無線基地局からの伝搬特性情報とを対応付けて保存した基準データベースを用いて位置推定を行う位置推定システムで、推定精度の向上を図れると共に、基準データベースの位置情報の構築を容易化できるようにする。【解決手段】基準データ測定装置２００は、異なる周波数の電磁波を送信する複数種類の無線システムの基地局群１０１、１０２の信号を受信し、その伝搬情報を検出して、サーバ装置３００の基準データベース３２０に蓄積する。位置推定を行う場合には、無線端末４００は、無線システムの基地局群１０１、１０２の信号を受信し、その伝搬情報を検出してサーバ装置３００に送る。サーバ装置３００で、基準データデータベース３２０を用いて位置を推定する。異なる複数の伝搬特性を反映したデータの取得が可能となり、精度の向上が図れる【選択図】図１
2010197050.tif 000002
【特許請求の範囲】
【請求項１】
位置推定対象エリア内に設置され、定められた周波数で無線信号を送信する複数の信号送信装置と、前記信号送信装置から送信される前記無線信号を受信する無線端末と、前記位置推定対象エリア内における前記無線端末の位置を推定するサーバ装置とを備えた位置推定システムであって、
前記複数の信号送信装置は、互いに異なる周波数により前記無線信号を送信し、
前記無線端末は、
前記信号送信装置から受信する前記無線信号の伝搬特性を示す伝搬特性情報を前記サーバ装置に送信する手段を有し、
前記サーバ装置は、
位置推定対象エリア内の定められた位置を示す位置情報と、当該位置において前記複数の信号送信装置から送信される前記無線信号の伝搬特性を示す伝搬特性情報とが対応付けられて記憶された基準データベースと、前記無線端末から送信される前記伝搬特性情報に最も近似する前記伝搬特性情報を前記基準データベースから検出して、検出した前記伝搬特性情報に対応する前記位置情報を読み出す位置計算手段とを有する
ことを特徴とする位置推定システム。
【請求項２】
前記信号送信装置が送信する前記信号は、当該信号送信装置を識別する識別情報を含み、
前記サーバ装置の前記基準データベースには、前記識別情報と、当該識別情報に対応する信号送信装置が設置された位置推定対象エリア内の位置を示す前記位置情報と前記伝搬特性情報とが記憶され、前記位置計算手段は前記信号送信装置から送信される前記無線信号に含まれる前記識別情報に対応する前記位置情報を読み出す
ことを特徴とする請求項１に記載の位置推定システム。
【請求項３】
前記複数の信号送信装置は、電波による無線信号を送信する無線基地局と、可視光による無線信号を送信する可視光送信器とのいずれかまたは双方を含む
ことを特徴とする請求項１または２に記載の位置推定システム。
【請求項４】
前記無線基地局から送信される電波による前記無線信号の前記伝搬特性情報は、無線信号の強度、到来方向、または到達時間を示す情報のうちいずれかまたはその組み合わせである
ことを特徴とする請求項３に記載の位置推定システム。
【請求項５】
前記可視光送信器から送信される可視光による前記無線信号の前記伝搬特性情報は、入射光の仰角または方向角を示す情報のいずれかまたは双方である
ことを特徴とする請求項３に記載の位置推定システム。
【請求項６】
前記位置推定システムは、
前記信号送信装置から送信される前記無線信号の伝搬特性情報を測定して前記サーバ装置に送信する基準データ測定装置をさらに備え、
前記サーバ装置の前記基準データベースには、
前記基準データ測定装置が前記伝搬特性情報を測定した位置を示す位置情報と、前記基準データ測定装置から送信される前記伝搬特性情報とが対応付けられて記憶される
ことを特徴とする請求項１から請求項５までのいずれか１項に記載の位置推定システム。
【発明の詳細な説明】
【技術分野】
【０００１】
本発明は、位置情報とその位置での複数の無線基地局からの伝搬特性情報とを対応付けて保存した基準データベースを用いて位置推定を行う位置推定システムに関する。
【背景技術】
【０００２】
無線システムを利用した無線端末の位置推定の方法は、代表的な方法として、位置情報が既知である無線局と無線端末間の距離又は電波到来方向に関する情報を、複数の無線基地局との関係において収集し、三角測量的に推定位置を計算する方法がある。また、無線局と無線端末間の距離を求める方法として、無線基地局と無線端末の信号強度のレベル差を受信電界強度から求めて距離を推定する方法、又は無線基地局から無線端末まで電波が到達するまでの時間から距離を推定する方法がある。
【０００３】
しかしながら、これらの位置推定方法は、電波の伝搬環境によって、見通し外やマルチパス環境になり、無線基地局と無線端末間の距離や電波到来方向を推定する精度を下げ、位置推定精度を下げる原因となる。例として、カーナビゲーションシステムに用いられるＧＰＳ（Ｇｌｏｂａｌ  Ｐｏｓｉｔｉｏｎｉｎｇ  Ｓｙｓｔｅｍ）による位置推定では、衛星からの電波到達時間を距離に換算して位置の推定を行うが、屋内やビル間等で位置推定の精度を出すのは困難とされている。
【０００４】
一方、別のアプローチとして、あらかじめ位置推定の対象となるエリア内において、受信電界強度や電波到来方向などの伝搬特性に関する情報と当該場所の位置情報を対応付けた情報を、位置指紋情報としてデータベース化して蓄積し、新たに無線端末の位置を推定する際には、当該データベースとマッチングして最も近似した伝搬特性の場所を推定位置とするフィンガープリント型の位置推定方法がある。非特許文献１には、フィンガープリント型の位置推定法であり、受信電界強度のデータベースを位置指紋として位置を推定する方法が記載されている。
【先行技術文献】
【非特許文献】
【０００５】
【非特許文献１】Ｃｌａｕｄｅ  Ｍ  Ｔａｋｅｎｇａ，  Ｋｙａｎｄｏｇｈｅｒｅ  Ｋｙａｍａｋｙａ，“Ｒｏｂｕｓｔ  Ｐｏｓｉｔｉｏｎｌｎｇ  Ｓｙｓｔｅｍ  ｂａｓｅｄ  ｏｎ  Ｆｉｎｇｅｒｐｒｉｎｔ  Ａｐｐｒｏａｃｈ，  ”  Ｐｒｏｃｅｅｄｉｎｇｓ  ｏｆ  ｔｈｅ  ５ｔｈ  ＡＣＭ  ｉｎｔｅｒｎａｔｌｏｎａｌ  ｗｏｒｋｓｈｏｐ  ｏｎ  Ｍｏｂｉｌｉｔｙ  ｍａｎａｇｅｍｅｎｔ  ａｎｄ  ｗｉｒｅｌｅｓｓ  ａｃｃｅｓｓ，  ｐｐ  ｌ−８，  ２００７
【発明の概要】
【発明が解決しようとする課題】
【０００６】
上述のフィンガープリント型の位置推定法は、受信電界強度などの伝搬特性から距離を推定する際の誤差を吸収する可能性を持っているが、その効果は利用する無線システムの伝搬特性の影響を受ける。例えば、周波数が異なれば、その伝搬特性は変化することになり、伝搬特性に依存する誤差の影響を受ける。
【０００７】
また、フィンガープリント型の位置推定方法においては、あらかじめ位置推定対象となるエリア内において、受信電界強度や電波到来方向などの伝搬特性に関する情報と当該場所の位置情報を対応付けた情報を、位置指紋情報としてデータベース化する必要がある。この場合、位置指紋となる情報が多いほど、位置推定精度の向上が期待できる。
【０００８】
しかしながら、位置指紋情報が多くなると、位置推定時に行うマッチングの対象が増え、伝搬特性に関する情報と対応付けるための位置情報を取得して位置指紋情報のデータベースを構築するには労力を要する。また、位置指紋情報のデータベースの構築化を自動化するためには、ＧＰＳなどの別の位置推定システムとの組み合わせが求められる。しかしながら、ＧＰＳを用いる場合、屋内では位置推定が困難となる。
【０００９】
上述の課題を鑑み、本発明は、伝搬特性の影響を軽減でき、推定精度の向上を図る位置推定システムを提供することを目的とする。
【課題を解決するための手段】
【００１０】
上述した課題を解決するために、本発明は、位置推定対象エリア内に設置され、定められた周波数で無線信号を送信する複数の信号送信装置と、信号送信装置から送信される無線信号を受信する無線端末と、位置推定対象エリア内における無線端末の位置を推定するサーバ装置とを備えた位置推定システムであって、複数の信号送信装置は、互いに異なる周波数により無線信号を送信し、無線端末は、信号送信装置から受信する無線信号の伝搬特性を示す伝搬特性情報をサーバ装置に送信する手段を有し、サーバ装置は、位置推定対象エリア内の定められた位置を示す位置情報と、位置において複数の信号送信装置から送信される無線信号の伝搬特性を示す伝搬特性情報とが対応付けられて記憶された基準データベースと、無線端末から送信される伝搬特性情報に最も近似する伝搬特性情報を基準データベースから検出して、検出した伝搬特性情報に対応する位置情報を読み出す位置計算手段とを有することを特徴とする。
【００１１】
また、本発明は、上述の信号送信装置が送信する信号は、信号送信装置を識別する識別情報を含み、サーバ装置の基準データベースには、識別情報と、識別情報に対応する信号送信装置が設置された位置推定対象エリア内の位置を示す位置情報と伝搬特性情報とが記憶され、位置計算手段は信号送信装置から送信される無線信号に含まれる識別情報に対応する位置情報を読み出すことを特徴とする。
【００１２】
また、本発明は、上述の複数の信号送信装置は、電波による無線信号を送信する無線基地局と、可視光による無線信号を送信する可視光送信器とのいずれかまたは双方を含むことを特徴とする。
【００１３】
また、本発明は、無線基地局から送信される電波による無線信号の伝搬特性情報が、無線信号の強度、到来方向、または到達時間を示す情報のうちいずれかまたはその組み合わせであることを特徴とする。
【００１４】
また、本発明は、可視光送信器から送信される可視光による無線信号の伝搬特性情報が、入射光の仰角または方向角を示す情報のいずれかまたは双方であることを特徴とする。
【００１５】
また、本発明は、位置推定システムが、信号送信装置から送信される無線信号の伝搬特性情報を測定してサーバ装置に送信する基準データ測定装置をさらに備え、サーバ装置の基準データベースには、基準データ測定装置が伝搬特性情報を測定した位置を示す位置情報と、基準データ測定装置から送信される伝搬特性情報とが対応付けられて記憶されることを特徴とする。
【発明の効果】
【００１６】
従来技術のように単一の無線システムを用いた位置推定システムでは、単一の周波数から計測できる無線信号の強度のみを用いていたところ、本発明によれば、複数の信号送信装置から出力される電磁波の伝搬特性情報に基づいて位置推定を行なうようにした。これにより、各々の信号送信装置から出力される電磁波の伝搬特性情報を加味した位置推定を行なうことにより、精度の向上が可能になる。
【図面の簡単な説明】
【００１７】
【図１】本発明の第１の実施形態の位置推定システムの構成を示すブロック図である。
【図２】本発明の第１の実施形態の位置推定システムにおける基準データベースの構成の説明図である。
【図３】本発明の第２の実施形態の位置推定システムの構成を示すブロック図である。
【図４】本発明の第２の実施形態の位置推定システムにおける基準データベースの構成の説明図である。
【図５】本発明の第３の実施形態の位置推定システムの構成を示すブロック図である。
【図６】本発明の第３の実施形態の位置推定システムにおける可視光送信器データベースの構成の説明図である。
【図７】本発明の第３の実施形態の位置推定システムにおける基準データベースの構成の説明図である。
【発明を実施するための形態】
【００１８】
以下、本発明の実施の形態について図面を参照しながら説明する。
＜第１の実施形態＞
図１は、本発明の第１の実施形態の構成を示すものである。本発明では、複数の異なる周波数の電磁波を出力する無線基地局による無線システムを用い、無線システム毎に異なる伝搬特性を反映した伝搬特性情報を取得することで、位置推定の精度の向上を図るようにしている。
【００１９】
図１の例では、複数の異なる周波数で無線信号を送信する信号送信装置による無線システムとして、第１の無線システムと第２の無線システムとの２種類の無線システムが用いられる。第１の無線システムの無線基地局群１０１としては、位置推定対象エリア内に複数の無線基地局１ａ、１ｂ、１ｃ、…が点在する。また、第２の無線システムの無線基地局群１０２としては、位置推定対象エリア内に複数の無線基地局２ａ、２ｂ、２ｃ、…が点在する。本発明の第１の実施形態では、伝搬特性情報としては、無線信号の強度が用いられる。
【００２０】
先ず、本発明の第１の実施形態における位置指紋情報の構築処理について説明する。
【００２１】
図１において、基準データ測定装置２００は、サーバ装置３００の基準データベース３２０に蓄積する位置指紋情報を取得するのに用いられる。基準データ測定装置２００の動作として、先ず位置推定対象エリア内の任意の一点において、第１の無線システムを構成する無線基地局群１０１の複数の無線基地局１ａ、１ｂ、１ｃ、…からの無線信号を受信し、その無線信号の強度を第１の無線システムの無線強度測定部２１１において測定する。
【００２２】
また、基準データ測定装置２００は、当該点で、第２の無線システムを構成する無線基地局群１０２の複数の無線基地局２ａ、２ｂ、２ｃ、…からのから無線信号を受信し、その無線信号の強度を第２の無線強度測定部２１２において測定する。
【００２３】
基準データ測定装置２００は、さらに当該点の位置情報を基準データ位置入力部２２０より入力し、基準データ生成部２３０においてそれらの情報を対応付けて一つの位置指紋情報とする。そして、基準データ測定装置２００は、基準データ送信部２４０により、測定された位置指紋情報をサーバ装置３００に送信する。
【００２４】
サーバ装置３００は、基準データ測定装置２００から送信されてきた位置指紋情報を基準データベース３２０に蓄積する。基準データ測定装置２００は、位置推定対象エリア内において、位置指紋情報の構築を繰り返してサーバ装置３００に送信し、サーバ装置３００の基準データベース３２０に、位置指紋情報を蓄積する。
【００２５】
図２は、サーバ装置３００に構築された基準データベース３２０の例を示すものである。図２の例では一つの位置指紋情報に対して、位置情報としてＸＹ座標を用い、それに第１の無線システムの無線信号の強度として３局の無線基地局ｌａ〜ｌｃの無線信号の強度と、第２の無線システムの無線信号の強度として３局の無線基地局２ａ〜２ｃの無線信号の強度とを対応付けている。
【００２６】
このようにして、サーバ装置３００の基準データベース３２０に位置指紋情報が構築された後、無線端末４００は、位置推定対象エリア内で、第１の無線システムの無線信号及び第２の無線システムの無線信号を受信することで、位置検出を行うことができる。
【００２７】
次に、本発明の第１の実施形態における無線端末４００の位置推定処理について説明する。
【００２８】
無線端末４００は、位置推定対象エリア内を移動する際に、ある任意の点において、第１の無線システムを構成する無線基地局群１０１の複数の無線基地局１ａ、１ｂ、１ｃ、…からの無線信号を受信し、その無線信号の強度を第１の無線システムの無線強度測定部４１１において測定する。
【００２９】
また、無線端末４００は、当該点で、第２の無線システムを構成する無線基地局群１０２の複数の無線基地局２ａ、２ｂ、２ｃ、…からの無線信号を受信し、その無線信号の強度を第２の無線システムの無線強度測定部４１２において測定する。
【００３０】
そして、無線端末４００は、測定データ生成部４２０により、第１の無線システムの無線強度測定部４１１の無線信号の強度の測定値の情報と、第２の無線システムの無線強度測定部４１２の無線信号の強度の測定値の情報とを入力し、それらの情報を対応付けて一つの測定情報を生成する。そして、無線端末４００は、測定データ送信部４３０により、この測定情報をサーバ装置３００に送信する。
【００３１】
サーバ装置３００は、無線端末４００からの測定情報を受信すると、位置計算部３１０において、送信されてきた測定情報について、図２に示した基準データベース３２０内の位置指紋情報とのマッチングを行う。そして、サーバ装置３００の位置計算部３１０は、無線端末４００からの測定情報と基準データベース３２０内の位置指紋情報とのマッチングの結果、基準データベース３２０の位置指紋情報のうち最も特性が近似している位置指紋情報のＸＹ座標を検出し、このＸＹ座標を無線端末４００の位置と推定する。
【００３２】
無線端末４００からの測定情報と基準データベース３２０内の位置指紋情報とのマッチングのアルゴリズムとしては、誤差二乗和が最小となるものを解とするといった、多次元の特徴量の最尤値を求めるさまざまな方法を用いることができる。推定した無線端末４００の位置情報は、管理者がサーバ装置３００で表示する、又は無線端末４００にフィードバックし、無線端末４００の利用者に通知する、などといった利用方法が考えられる。なお、各無線システムの無線基地局の設置場所は同じ場所でも異なる場所でもよい。
【００３３】
なお、本発明の第１の実施形態における無線信号の強度を、無線信号の到来方向に置き換えた構成としてもよい。無線信号の到来方向の推定には、アレーアンテナを用いたＭＵＳＩＣ（Ｍｕｌｔｉｐｌｅ  Ｓｉｇｎａｌ  Ｃｌａｓｓｉｆｉｃａｔｉｏｎ）等の手法を用いることが可能である。ＭＵＳＩＣでは、アレー入力の相関行列の固有値、固有ベクトルにより到来方向を推定する。
【００３４】
また、第１の実施形態における無線信号の強度を無線信号の到達時間に置き換えた構成としてもよい。無線信号の到達時間の推定には、無線基地局と基準無線端末局で絶対時刻を保持し、無線基地局と基準無線端末局間で定めた時刻に無線基地局がパルス信号を報知し、基準無線端末局が定めた時刻との差分時間を算出するといった手法を用いることが可能である。
【００３５】
また、第１の実施形態における伝搬特性情報である無線信号の強度を、無線信号の強度と到来方向と到達時間の何れか一つ、又はその組み合わせに置き換えた構成としてもよい。
【００３６】
以上説明したように、本発明の第１の実施形態では、周波数の異なる第１の無線システムと第２の無線システムとの２つの無線システムを用いることで、異なる伝搬特性を反映したデータの取得が可能となり、複数の精度の向上が図れる。
【００３７】
例えば、２．４ＧＨｚ帯と５ＧＨｚ帯のデュアルバンド無線ＬＡＮシステムを無線システムとして利用する場合、無線端末にとって、同じ場所からアクセスポイント（無線基地局）からの電波を同じ場所で受信することになるが、無線端末の場所によってその両者の伝搬特性に違いが生じ、それぞれの周波数での位置推定に誤差が生じる場合がある。この場合、２．４ＧＨｚ帯と５ＧＨｚ帯の両者で伝搬特性を測定して位置推定を行えば、フィンガープリント型でデータベースマッチングする際の次元数を増やすことになり、最尤点の判別要素を増やす効果が得られ、位置推定の精度を向上する効果がある。
【００３８】
＜第２の実施形態＞
図３は、本発明の第２の実施形態を示すものである。この実施形態では、無線信号を送信する複数の信号送信装置として可視光送信器を適用する可視光通信システムと、無線基地局を適用する無線システムの混在する構成が用いられる。図３において、可視光通信システムの可視光送信器群５０１としては、位置推定対象エリア内に複数の可視光送信器１１ａ、１１ｂ、１１ｃ、…が点在されている。また、無線システムの無線基地局群５０２としては、位置推定エリア内に複数の無線基地局１２ａ、１２ｂ、１２ｃ、…が点在されている。
【００３９】
本発明の第２の実施形態では、可視光通信システムの伝搬特性の情報として、入射光の仰角と方向角が用いられる。また、無線システムの伝搬特性の情報として無線信号の強度が用いられる。
【００４０】
先ず、本発明の第２の実施形態における位置指紋情報の構築処理について説明する。
【００４１】
図３において、基準データ測定装置６００は、サーバ装置７００の基準データベース７２０に構築する位置指紋情報を取得するのに用いられる。基準データ測定装置６００の動作として、先ず位置推定対象エリア内の任意の一点において、可視光送信器群５０１を構成する可視光送信器１１ａ、１１ｂ、１１ｃ、…から到来する可視光を受信し、その仰角、方向角を可視光ＩＤ受信部６１１において測定する。
【００４２】
可視光の到来方向（仰角、方位角）は、例えば、複数の受光素子の受光面の上方に遮光領域又は絞りを設け、受光面に可視光が入射したときの複数の受光素子の出力比から算出することが可能である（特開平８−２６４８２６号公報、特開平８−３４０１２４号公報参照）。また、例えば、撮像素子の撮像面の上方に絞り又はレンズを設け、撮像面に可視光が入射したときに出力が得られた画素の位置から算出することが可能である（特開平１０−１７６９１０号公報参照）。
【００４３】
また、基準データ測定装置６００は、当該点で、無線基地局群５０２を構成する複数の無線基地局１２ａ、１２ｂ、１２ｃ、…から無線信号を受信し、その無線信号の強度を無線強度測定部６１２において測定する。
【００４４】
基準データ測定装置６００は、さらに当該点の位置情報を基準データ位置入力部６２０より入力し、基準データ生成部６３０においてそれらの情報を対応付け一つの位置指紋情報とする。そして、基準データ測定装置６００は、基準データ送信部６４０により、測定された位置指紋情報をサーバ装置７００に送信する。
【００４５】
サーバ装置７００は、基準データ測定装置６００から送信されてきた位置指紋情報を基準データベース７２０に蓄積する。基準データ測定装置６００は、位置推定対象エリア内において、位置指紋情報の構築を繰り返してサーバ装置７００に送信し、サーバ装置７００の基準データベース７２０に、位置指紋情報を蓄積する。
【００４６】
図４は、サーバ装置７００に構築された基準データベース７２０の例を示すものである。図４の例では一つの位置指紋情報に対して、位置情報としてＸＹ座標を用い、それに可視光通信システムの可視光送信器１１ａ、１１ｂの仰角、方向角の値と、無線システムの無線信号の強度として３局の無線基地局ｌ２ａ〜ｌ２ｃの無線信号の強度とを対応付けている。
【００４７】
次に、本発明の第２の実施形態における無線端末８００の位置推定処理について説明する。
【００４８】
無線端末８００は、位置推定対象エリア内を移動する際に、ある任意の点において、可視光送信器群５０１を構成する複数の可視光送信器１１ａ、１１ｂ、１１ｃ、…からの可視光信号を受光し、その仰角、方向角を可視光到来方向測定部８１１において測定する。
【００４９】
また、無線端末８００は、当該点で、無線基地局群５０２を構成する複数の無線基地局１２ａ、１２ｂ、１２ｃ、…から無線信号を受信し、その無線信号の強度を無線強度測定部８１２において測定する。
【００５０】
無線端末８００は、測定データ生成部８２０においてそれらの情報を対応付けて一つの測定情報とする。そして、無線端末８００は、測定データ送信部８３０により、その測定情報をサーバ装置７００に送信する。
【００５１】
サーバ装置７００は、無線端末８００からの測定情報を受信すると、位置計算部７１０において、送信されてきた測定情報について、図４に示した基準データベース７２０内の位置指紋情報とのマッチングを行う。そして、サーバ装置７００の位置計算部７１０は、基準データベース７２０の位置指紋情報のうち最も特性が近似している位置指紋情報のＸＹ座標を検出し、このＸＹ座標をサーバ装置７００の推定位置とする。位置指紋情報とのマッチングのアルゴリズムは、誤差二乗和が最小となるものを解とするといった、多次元の特徴量の最尤値を求めるさまざまな方法を用いることができる。
【００５２】
なお、本発明の第２の実施形態における可視光の到来方向を可視光の強度に置き換えた構成としてもよい。可視光の強度は、受光素子を備えることによって取得することが可能である。
【００５３】
また、第２実施形態における可視光の到来方向を可視光の到達時間に置き換えた構成としてもよい。可視光の到達時間は、無線信号の到達時間の推定と同様の手法で推定することが可能である。
【００５４】
＜第３の実施形態＞
図５は、本発明の第３の実施形態を示すものである。この実施形態では、第１の無線システムと第２の無線システムとの２つの無線システムが用いられる。第１の無線システムと第２の無線システムとは、使用する周波数が異なっている。第１の無線システムの無線基地局群９０１は、位置推定対象エリア内に複数の無線基地局２１ａ、２１ｂ、２１ｃ、…が点在する。また、第２の無線システムの無線基地局群９０２は、位置推定対象エリア内に複数の無線基地局２２ａ、２２ｂ、２２ｃ、…が点在する。
【００５５】
この実施形態では、各無線システムの伝搬特性の情報として無線信号の強度が用いられる。この実施形態では、さらに、可視光送信器１３０１が所定の位置に設けられる。可視光送信器１３０１は、位置推定対象エリア内に、複数点在されている。可視光送信器１３０１の位置はあらかじめサーバ装置１１００の可視光送信器データベース１１３０に登録されている。
【００５６】
先ず、本発明の第３の実施形態における位置指紋情報の構築処理について説明する。
【００５７】
基準データ測定装置１０００は、サーバ装置１１００の基準データベース１１２０に蓄積する位置指紋情報を取得するのに用いられる。基準データ測定装置１０００の動作として、先ず位置推定対象エリア内の任意の一点において、複数の第１の無線システムを構成する無線基地局群９０１の複数の無線基地局２１ａ、２１ｂ、２１ｃ、…からの無線信号を受信し、その無線信号の強度を第１の無線システムの無線強度測定部１０１１において測定する。
【００５８】
また、当該点で、基準データ測定装置１０００は、第２の無線システムを構成する無線基地局群９０２の複数の無線基地局２２ａ、２２ｂ、２２ｃ、…から無線信号を受信し、その無線信号の強度を第２の無線システムの無線強度測定部１０１２において測定する。
【００５９】
さらに、基準データ測定装置１０００は、位置推定対象エリア内に位置が既知の場所に点在させて設置した可視光送信器１３０１からの信号を可視光ＩＤ受信部１０２０において受信し、可視光送信器のＩＤを取得する。
【００６０】
そして、基準データ生成部１０３０において、それらの情報を対応付けて一つの位置指紋情報とする。基準データ測定装置１０００の基準データ送信部１０４０は、位置指紋情報をサーバ装置１１００に送信する。
【００６１】
サーバ装置１１００は、可視光送信器データベース１１３０を有している。この可視光送信器データベース１１３０には、図６に示すように、可視光ＩＤと、位置情報としてＸＹ座標とが対応付けて保存されている。
【００６２】
サーバ装置１１００は、基準データ測定装置１０００から送信されてきた位置指紋情報を基準データベース１１２０に蓄積する。このとき、可視光送信器データベース１１３０を使って、可視光ＩＤをＸＹ位置情報に変換する。基準データ測定装置１０００は、位置推定対象エリア内において、位置指紋情報の構築を繰り返してサーバ装置１１００に送信し、サーバ装置１１００の基準データベース１１２０に、位置指紋情報を蓄積する。
【００６３】
図７は、サーバ装置１１００に構築された基準データベース１１２０の例を示すものである。図７の例では一つの位置指紋情報に対して、Ｘ，Ｙ位置情報と、それに第１の無線システムの無線信号の強度として３局の無線基地局２１ａ〜２ｌｃの無線信号の強度と、第２の無線システムの無線信号の強度として３局の無線基地局２２ａ〜２２ｃの無線信号の強度とを対応付けている。ＸＹ座標は、前述したように、基準データ測定装置１０００から送られてきた可視光ＩＤから、可視光送信器データベース１１３０を用いて変換される。
【００６４】
次に、本発明の第３の実施形態における位置推定処理について説明する。
【００６５】
無線端末１２００は、位置推定対象エリア内を移動する際に、ある任意の点において、複数の第１の無線システムの通信を構成する無線基地局群９０１の複数の無線基地局２１ａ、２１ｂ、２１ｃ、…からの無線信号を受信し、その無線信号の強度を第１の無線システムの無線強度測定部１２１１において測定する。
【００６６】
また、当該点で、無線端末１２００は、第２の無線システムを構成する無線基地局群９０２の複数の無線基地局２２ａ、２２ｂ、２２ｃ、…から無線信号を受信し、その無線信号の強度を第２の無線強度測定部１２１２において測定する。測定データ生成部１２２０においてそれらの情報を対応付けて一つの測定情報とする。そして、無線端末１２００は、測定データ送信部１２３０により、その測定情報をサーバ装置１１００に送信する。
【００６７】
サーバ装置１１００は、無線端末１２００からの測定情報を受信すると、位置計算部１１１０において、送信されてきた測定情報について、図７に示した基準データベース１１２０内の位置指紋情報とのマッチングを行う。そして、サーバ装置１１００の位置計算部１１１０は、無線端末１２００からの測定情報と基準データベース１１２０内の位置指紋情報とのマッチングの結果、基準データベース１１２０の位置指紋情報のうち最も特性が近似している位置指紋情報のＸＹ座標を検出し、このＸＹ座標を無線端末１２００の位置と推定する。無線端末１２００からの測定情報と基準データベース１１２０内の位置指紋情報とのマッチングのアルゴリズムとしては、誤差二乗和が最小となるものを解とするといった、多次元の特徴量の最尤値を求めるさまざまな方法を用いることができる。
このように、本実施形態の位置推定システムを構築することにより、基準データとなる位置指紋情報を測定する基準データ測定装置１０００にのみ可視光ＩＤ受信部１０２０を設けるだけで、無線端末１２００には可視光ＩＤ受信部を備える必要がなく、位置指紋情報取得時の労力を軽減するという効果を得ることが可能である。
【００６８】
なお、この実施形態における可視光送信器データベース１１３０は、基準データ測定装置１０００内に具備する構成でもよい。また、図７の基準データベース１１２０内のＸＹ位置情報の代わりに可視光ＩＤを記録しておき、無線端末１２００の位置推定時に、可視光送信器データベース１１３０により、可視光ＩＤをＸＹ位置情報に変換する構成としてもよい。
【００６９】
なお、可視光送信器１３０１は、その可視光の照射範囲が他の可視光送信器の可視光の照射範囲と空間的に分離するように設置することとする。これにより、基準データ測定装置１０００は、推定対象エリア内の各位置において、単一の可視光送信器１３０１からの信号のみを受信することが可能となる。
なお、本実施形態では、可視光送信器１３０１が自身を識別するＩＤを送信するようにしたが、無線基地局が自身を識別するＩＤを送信するようにしても良い。この場合、サーバ装置に、無線基地局の識別情報に対応付けて、その無線基地局が設置された位置を示す位置情報を記憶させておくようにすることができる。
【００７０】
以上説明したように、本実施形態によれば、互いに異なる周波数の電磁波を用いる複数の信号送信装置毎の伝搬特性情報に応じて位置推定を行っている。この場合、異なる複数の伝搬特性を反映したデータの取得が可能となり、位置推定の精度の向上が図れる。また、位置推定対象エリア内に位置が既知の場所の信号送信装置が自身の識別情報を送信し、識別情報に応じて基準となる位置情報を取得している。これにより、位置指紋情報の検索を容易に行なうことが可能となるとともに、蓄積するデータを構築するための基準情報の入力作業が軽減できる。例えば、予め位置推定対象となるエリアにおいて、受信電界強度や電波到来後方などの伝搬特性に関する情報とその場所の位置情報とを対応付けた情報を、位置指紋情報としてデータベース化する労力軽減の方法として、可視光通信により位置推定システムを用いることにより、屋内で自動的に場所の位置情報を取得することが可能となる。
【００７１】
本発明は、上述した実施形態に限定されるものではなく、本発明の要旨を逸脱しない範囲内で様々な変形や応用が可能である。
【符号の説明】
【００７２】
１０１  第１の無線システムの無線基地局群
１０２  第２の無線システムの無線基地局群
２００  基準データ測定装置
２１１  第１の無線システムの無線強度測定部
２１２  第２の無線システムの無線強度測定部
２２０  基準データ位置入力部
２３０  基準データ生成部
２４０  基準データ送信部
３００  サーバ装置
３１０  位置計算部
３２０  基準データベース
４００  無線端末
４１１  第１の無線システムの無線強度測定部
４１２  第２の無線システムの無線強度測定部
４２０  測定データ生成部
４３０  測定データ送信部
５０１  可視光送信器群
５０２  無線基地局群
６００  基準データ測定装置
６１１  可視光ＩＤ受信部
６１２  無線強度測定部
６２０  基準データ位置入力部
６３０  基準データ生成部
６４０  基準データ送信部
７００  サーバ装置
７１０  位置計算部
７２０  基準データベース
８００  無線端末
８１１  可視光到来方向測定部
８１２  無線強度測定部
８２０  測定データ生成部
８３０  測定データ送信部
９０１  第１の無線システムの無線基地局群
９０２  第２の無線システムの無線基地局群
１０００  基準データ測定装置
１０１１  第１の無線システムの無線強度測定部
１０１２  第２の無線システムの無線強度測定部
１０２０  可視光ＩＤ受信部
１０３０  基準データ生成部
１０４０  基準データ送信部
１１００  サーバ装置
１１１０  位置計算部
１１２０  基準データベース
１１３０  可視光送信器データベース
１２００  無線端末
１２１１  第１の無線システムの無線強度測定部
１２１２  第２の無線システムの無線強度測定部
１２２０  測定データ生成部
１２３０  測定データ送信部
１３０１  可視光送信器
【図１】
2010197050.tif 000003
【図２】
2010197050.tif 000004
【図３】
2010197050.tif 000005
【図４】
2010197050.tif 000006
【図５】
2010197050.tif 000007
【図６】
2010197050.tif 000008
【図７】
2010197050.tif 000009